(57)【要約】【課題】バッテリを交換する際や配線を変更する際の作業性を高め、しかも、バッテリからバッテリ液が漏れた場合であっても外部への流出を未然に回避する。【解決手段】電気錠コントローラ１のバッテリ収容部１１は、前方ストッパ壁面部１４、後方ストッパ壁面部１６、１７、右側方ストッパ壁面部１８、１９、左側方ストッパ壁面部２０及び底壁面部２１を備え、後方ストッパ壁面部１６と後方ストッパ壁面部１７との間に配線２４が前方側から配線収容部１２に向かう方向に挿通可能な切欠部２２が形成され、底壁面部２１の全周に立上がり部が形成されている。配線２４の余り部分を切欠部２２に挿通して配線収容部１２に収容し、専用のバッテリ固定用スペーサ及び専用のバンドを不要とした上で第１のバッテリ２５及び第２のバッテリ２６を取付ける。【選択図】図１
2010121347.tif 000002
【特許請求の範囲】
【請求項１】
建物の壁に取付けられときに前記建物の壁面に対して平行となる面に開口部を有する矩形状の枠体と、
前記枠体に設けられ、端子台が実装されている基板を収容する基板収容部と、前記基板が前記基板収容部に収容されている状態で当該基板の切欠部分に対向する開口部とを有するインナーケースとを備え、
建物の壁から引出されている配線が外部から前記枠体の前記開口部及び前記インナーケースの前記開口部に挿通されて前記枠体の前方側に引出された状態で前記枠体が前記壁に取付けられ且つ前記配線が前記基板の前記端子台に接続される電気錠コントローラにおいて、
前記インナーケースにあって前記開口部から前方側に突出する箇所にバッテリを収容するためのバッテリ収容部が当該インナーケースと一体的に設けられると共に、前記バッテリ収容部と前記開口部との間の空間が前記配線を収容するための配線収容部とされ、
前記バッテリ収容部は、前記バッテリが当該バッテリ収容部の前方上側から挿通されるバッテリ挿通部と、前記バッテリが置かれる底壁面部と、前記バッテリが前記バッテリ収容部に収容されている状態で当該バッテリが当該バッテリ収容部の前方側へ移動することを制限する前方ストッパ壁面部と、前記バッテリが前記バッテリ収容部に収容されている状態で当該バッテリが当該バッテリ収容部の後方側へ移動することを制限する後方ストッパ壁面部と、前記バッテリが前記バッテリ収容部に収容されている状態で当該バッテリが当該バッテリ収容部の側方側へ移動することを制限する側方ストッパ壁面部とを備え、
前記底壁面部に、全周にわたって立上がり部が形成され、
前記後方ストッパ壁面部に、前記配線が当該バッテリ収容部の前方側から前記配線収容部に向かう方向に挿通可能なスリット状の切欠部が形成され、
前記前方ストッパ壁面部と前記後方ストッパ壁面部とは当該前方ストッパ壁面部及び当該後方ストッパ壁面部の面方向に垂直な方向から投影した投影面上に両者が描写可能な位置関係に形成され、
前記側方ストッパ壁面部と前記前方ストッパ壁面部及び前記後方ストッパ壁面部とは当該側方ストッパ壁面部の面方向に垂直な方向から投影した投影面上に両者が描写可能な位置関係に形成されていることを特徴とする電気錠コントローラ。
【請求項２】
請求項１に記載した電気錠コントローラにおいて、
前記前方ストッパ壁面部の上端部に、前記バッテリが前記バッテリ挿通部に挿通される挿通方向に平行な面取り部が形成されていることを特徴とする電気錠コントローラ。
【請求項３】
請求項１または２に記載した電気錠コントローラにおいて、
前記後方ストッパ壁面部にあって前記切欠部を構成する端部に、前方側から前記配線収容部に向かう方向にカーブする曲面部が形成されていることを特徴とする電気錠コントローラ。
【発明の詳細な説明】
【技術分野】
【０００１】
本発明は、建物の壁に取付けられ、建物の壁から引出されている配線が基板の端子台に接続された後に、バッテリが取付けられるように構成されてなる電気錠コントローラに関する。
【背景技術】
【０００２】
防犯及び操作性を高めることを目的として扉の施錠や解錠を電気的に行う電気錠が供されており、それら電気錠を制御する電気錠コントローラが供されている（例えば特許文献１参照）。
【特許文献１】特開２００４−８４２６６号公報
【発明の開示】
【発明が解決しようとする課題】
【０００３】
この種の電気錠コントローラとして建物の壁に取付けられる型がある。建物の壁に取付けられる電気錠コントローラにおいては、機器全体の小型化及び省スペース化という点から、バッテリを配線に重なるように当該配線の前方側に取付ける構造が採用されており、従来は以下のようにして配線を接続した後にバッテリを取付けていた。すなわち、建物の壁から引出されている配線を前方側に引出した状態で枠体を建物の壁に取付け、前方側に引出した配線を基板の端子台に接続し、配線を跨ぐ格好で専用のバッテリ固定用スペーサをインナーケースに取付け、そのインナーケースに取付けた専用のバッテリ固定用スペーサにバッテリを位置決めして専用のバンドで巻付けて固定し、バッテリを配線の前方側に取付けていた。
【０００４】
しかしながら、上記したような構造では、専用のバッテリ固定用スペーサ及び専用のバンドを必要とする構成であるので、部品点数が増大するという問題がある。また、バッテリを交換する際にはバッテリを固定しているバンドをバッテリ固定用スペーサから一旦取外す作業が必要であり、さらに、配線を変更する際にはバンドをバッテリ固定用スペーサから一旦取外す作業に加えてバッテリ固定用スペーサをインナーケースから取外す作業も必要であり、作業性に劣るという問題もある。また、単純にバッテリを専用のバンドで巻付けて固定しているだけの構成であるので、バッテリからバッテリ液が漏れる所謂液漏れが発生してしまうと、バッテリ液が垂れて場合によっては外部に流出してしまうという問題もある。
【０００５】
本発明は、上記した事情に鑑みてなされたものであり、その目的は、部品点数が増大することなく、バッテリを交換する際や配線を変更する際の作業性を高めることができ、しかも、バッテリからバッテリ液が漏れる所謂液漏れが発生した場合であってもバッテリ液が外部に流出してしまうことを未然に回避することができる電気錠コントローラを提供することにある。
【課題を解決するための手段】
【０００６】
請求項１に記載した発明によれば、枠体は建物の壁に取付けられときに前記建物の壁面に対して平行となる面に開口部を有する矩形状に形成され、その枠体に設けられているインナーケースには、端子台が実装されている基板を収容する基板収容部と、基板が基板収容部に収容されている状態で当該基板の切欠部分に対向する開口部とが設けられている。インナーケースにあって開口部から前方側に突出する箇所にはバッテリを収容するためのバッテリ収容部が当該インナーケースと一体的に設けられ、バッテリ収容部と開口部との間の空間が配線を収容するための配線収容部とされている。バッテリ収容部は、バッテリが当該バッテリ収容部の前方上側から挿通されるバッテリ挿通部と、バッテリが置かれる底壁面部と、バッテリがバッテリ収容部に収容されている状態で当該バッテリが当該バッテリ収容部の前方側へ移動することを制限する前方ストッパ壁面部と、バッテリがバッテリ収容部に収容されている状態で当該バッテリが当該バッテリ収容部の後方側へ移動することを制限する後方ストッパ壁面部と、バッテリがバッテリ収容部に収容されている状態で当該バッテリが当該バッテリ収容部の側方側へ移動することを制限する側方ストッパ壁面部とを備えて構成されている。
【０００７】
上記した構成によれば、建物の壁から引出されている配線を外部から枠体の開口部及びインナーケースの開口部に挿通して前方側に引出した状態で枠体を壁に取付け、配線を基板の端子台に接続する。この場合、後方ストッパ壁面部に、配線が前方側から配線収容部に向かう方向に挿通可能なスリット状の切欠部が形成されているので、配線を基板の端子台に接続したことで生じた配線の余り部分（必要以上に長い部分）をスリット状の切欠部に挿通することでバッテリ収容部と開口部との間の空間である配線収容部に収容することができ、配線収容部の前方側に設けられているバッテリ収容部にバッテリを収容する分のスペースを確保することができる。そして、このようにして配線を接続した後に、バッテリを前方上側からバッテリ挿通部に挿通してバッテリをバッテリ収容部に収容することで、従来の作業では必要であった専用のバッテリ固定用スペーサ及び専用のバンドを不要とした上で配線を接続してバッテリを取付けることができる。これにより、部品点数が増大することなく、バッテリを交換する際や配線を変更する際の作業性を高めることができる。
【０００８】
この場合、バッテリ収容部に、前方ストッパ壁面部と後方ストッパ壁面部と側方ストッパ壁面部とが形成されているので、インナーケースが枠体に対して回動された場合であっても、バッテリが落下することを防止することができ、バッテリをバッテリ収容部に止めておくことができる。また、バッテリを収容するバッテリ収容部にあって底壁面部に、全周にわたって立上がり部が形成されているので、バッテリからバッテリ液が漏れる所謂液漏れが発生した場合であっても、バッテリから漏れたバッテリ液が垂れることなく底壁面部に止めておくことができ、バッテリ液が外部に流出してしまうことを未然に回避することができる。
【０００９】
また、前方ストッパ壁面部と後方ストッパ壁面部とが当該前方ストッパ壁面部及び当該後方ストッパ壁面部の面方向に垂直な方向から投影した投影面上に両者が描写可能な位置関係に形成され、側方ストッパ壁面部と前方ストッパ壁面部及び後方ストッパ壁面部とが当該側方ストッパ壁面部の面方向に垂直な方向から投影した投影面上に両者が描写可能な位置関係に形成されているので、バッテリ収容部を構成する各ストッパ壁面部を別部材ではなくインナーケースを製作する工程で型抜きの方法によりインナーケースと一体成形で製作することができ、製作コストを削減することができ且つ製作期間を短縮することができる。しかも、従来からのバッテリを配線に重なるように当該配線の前方側に取付ける構造を維持することにより、機器全体の小型化及び省スペース化をも実現することができる。
【００１０】
請求項２に記載した発明によれば、前方ストッパ壁面部の上端部に、バッテリがバッテリ挿通部に挿通される挿通方向に平行な面取り部が形成されているので、バッテリを滑らかにバッテリ挿通部に挿通することができ、バッテリを取付けたり取外したりする際の作業性を高めることができる。
【００１１】
請求項３に記載した発明によれば、後方ストッパ壁面部にあって切欠部を構成する端部に、前方側から配線収容部に向かう方向にカーブする曲面部が形成されているので、配線を基板の端子台に接続したことで生じた配線の余り部分をスリット状の切欠部に滑らかに挿通することができ、配線を収容する際の作業性を高めることができる。
【発明を実施するための最良の形態】
【００１２】
以下、本発明の一実施形態について、図面を参照して説明する。図１は、電気錠コントローラにおいて、バッテリが搭載されていない状態で本体カバー（図示せず）が外されている状態を示している。電気錠コントローラ１において、枠体２は中空状の開口部２ａを有する「ロ」字形状に成形されており、その内側の空間はインナーケース３を収容可能なインナーケース収容部４とされている。枠体２及びインナーケース３は樹脂を材料として成形されており、インナーケース３は枠体２の一辺側（図１では左辺側）を回動軸として枠体２に対して回動可能に取付けられている。
【００１３】
インナーケース３の内部である基板収容部５には基板６が収容されており、その基板６の表面部には各種の電子部品（ＣＰＵ、ＲＡＭ及びＲＯＭなど）や３個の端子台７〜９が実装されている。基板６の表面部に実装されている各種の電子部品の一部は塵埃などから保護するという理由でケースカバー１０により覆われている。基板６は矩形形状から略１／４に相当する一部分が切欠かれた形状に成形されており、インナーケース３にあって基板６の切欠部分に対向する部分には開口部３ａが形成されている。枠体２の開口部２ａとインナーケース３の開口部３ａとは連通している。端子台７〜９は基板６の表面部にあって切欠部分の側方に実装されており、つまり、基板６の表面部にあって下側中央部に実装されている。
【００１４】
電気錠コントローラ１は、本体カバーが取外されてインナーケース３の開口部３ａが下側に位置するように向けられ、建物の壁から引出されている配線が枠体２の開口部２ａ及びインナーケース３の開口部３ａに挿通されて前方に引出された状態で、枠体２が建物の壁に位置決めされて取付けられる。そして、前方に引出されている配線の先端側が３台の端子台７〜９に接続される。
【００１５】
インナーケース３にあって開口部３ａから前方に突出する箇所にはバッテリ収容部１１がインナーケース３と一体的に形成されており、バッテリ収容部１１とインナーケース３の開口部３ａとの間の空間は配線収容部１２とされている。以下、バッテリ収容部１１の具体的な形状について、図２ないし図６を参照して説明する。
【００１６】
バッテリ収容部１１は、前方上側が開口されており、その開口されている部分は後述する直方体形状をなすバッテリが挿通されるバッテリ挿通部１３とされている。バッテリ収容部１１の前方側には前方ストッパ壁面部１４、１５が左右方向に一体成形により形成されており、バッテリ収容部１１の後方側には後方ストッパ壁面部１６、１７が上下方向に一体成形により形成されており、バッテリ収容部１１の右側方側には右側方ストッパ壁面部１８、１９が一体成形により形成されており、バッテリ収容部１１の左側方側には左側方ストッパ壁面部２０が一体成形により形成されている。前方ストッパ壁面部１４と右側方ストッパ壁面部１８と下側の後方ストッパ壁面部１６とは「コ」字状に連なっており、前方ストッパ壁面部１５と左側方ストッパ壁面部２０と下側の後方ストッパ壁面部１６とは「コ」字状に連なっており、右側方ストッパ壁面部１９と上側の後方ストッパ壁面部１７とは「Ｌ」字状に連なっている。
【００１７】
前方ストッパ壁面部１４、１５は、バッテリがバッテリ収容部１１に収容されている状態で当該バッテリが当該バッテリ収容部１１の前方側へ移動することを制限するものである。後方ストッパ壁面部１６、１７は、バッテリがバッテリ収容部１１に収容されている状態で当該バッテリが当該バッテリ収容部１１の後方側へ移動することを制限するものである。右側方ストッパ壁面部１８、１９は、バッテリがバッテリ収容部１１に収容されている状態で当該バッテリが当該バッテリ収容部１１の右側方側へ移動することを制限するものである。左側方ストッパ壁面部２０は、バッテリがバッテリ収容部１１に収容されている状態で当該バッテリが当該バッテリ収容部１１の左側方側へ移動することを制限するものである。
【００１８】
バッテリ収容部１１にあってバッテリが置かれる底壁面部２１の前方側には垂直に立上がるように立上がり部２１ａが形成されている。底壁面部２１と後方ストッパ壁面部１６とは「Ｌ」字状に連なっており、後方ストッパ壁面部１６の下側は底壁面部２１の後方における立上がり部とされている。右側方ストッパ壁面部１８と底壁面部２１と左側方ストッパ壁面部２０とは「コ」字状に連なっており、右側方ストッパ壁面部１８の下側は底壁面部２１の右側方の立上がり部とされており、左側方ストッパ壁面部２０の下側は底壁面部２１の左側方における立上がり部とされている。すなわち、底壁面部２１には前後左右の四方に立上がり部が形成されている。
【００１９】
底壁面部２１の奥行き寸法、換言すれば前方ストッパ壁面部１４、１５と後方ストッパ壁面部１６、１７との間の水平方向の寸法（図２中「ａ１」にて示す）はバッテリの奥行き寸法（図７中「ａ２」にて示す）よりも僅かに広くなっている。また、底壁面部２１の幅寸法、換言すれば右側方ストッパ壁面部１８、１９と左側方ストッパ壁面部２０との間の水平方向の寸法は（図２中「ｂ１」にて示す）はバッテリ（図７中「ｂ２」にて示す）の幅寸法よりも僅かに広くなっている。
【００２０】
後方ストッパ壁面部１６と後方ストッパ壁面部１７との間にはスリット状の切欠部２２が形成されており、後方ストッパ壁面部１６における切欠部２２側の端部には前方側から後方側（配線収容部１２側）に向かう方向にカーブする曲面部１６ａが形成されている。
尚、上側の後方ストッパ壁面部１７に曲面部が形成されているのではなく、下側の後方ストッパ壁面部１６に曲面部１６ａが形成されているのは、電気錠コントローラ１が壁に取付けられた状態では前方側に引出されている配線が重力で垂れ下がった格好になるので、垂れ下がった配線を持上げてスリット状の切欠部２２に挿通する場合には下側の後方ストッパ壁面部１６に曲面部１６ａが形成されている方が挿通し易いからである。
【００２１】
前方ストッパ壁面部１４の上端辺部はバッテリがバッテリ挿通部１３に挿通される挿通方向に面取りされて面取り部１４ａが形成されており、前方ストッパ壁面部１５の上端辺部はバッテリがバッテリ挿通部１３に挿通される挿通方向に面取りされて面取り部１５ａが形成されている。また、天井壁面部２３の前端辺部もバッテリがバッテリ挿通部１３に挿通される挿通方向に面取りされて面取り部２３ａが形成されている。
【００２２】
前方ストッパ壁面部１４における２箇所の角部１４ｂと角部１４ｃ、前方ストッパ壁面部１５における２箇所の角部１５ｂと角部１５ｃ、後方ストッパ壁面部１６における２箇所の角部１６ｂと角部１６ｃ、後方ストッパ壁面部１７における１箇所の角部１７ａ、右側方ストッパ壁面部１８における２箇所の角部１８ａと角部１８ｂ、右側方ストッパ壁面部１９における３箇所の角部１９ａと角部１９ｂと１９ｃ、左側方ストッパ壁面部２０における１箇所の角部２０ａは面取り加工されている。これは、前方側に引出されている配線の先端側が端子台７〜９に接続されていない段階では配線の先端側が自由状態となっているので、作業者が枠体２を建物の壁に取付ける作業中において先端側が自由状態となっている配線を損傷させないようするためであり、また、作業者が配線の先端側を基板６の端子台７〜９に接続する作業において配線を移動する際に配線が各ストッパ壁面部１４〜２０を乗り越え易くするためである。
【００２３】
前方ストッパ壁面部１４、１５と後方ストッパ壁面部１６、１７とは正面方向から投影した投影面上に両者が描写可能な位置関係に形成されており、右側方ストッパ壁面部１８、１９及び左側方ストッパ壁面部２０と前方ストッパ壁面部１４、１５及び後方ストッパ壁面部１６、１７とは側面方向から投影した投影面上に両者が描写可能な位置関係に形成されている。すなわち、このようにバッテリ収容部１１を構成する前方ストッパ壁面部１４、１５、後方ストッパ壁面部１７、右側方ストッパ壁面部１８、１９及び左側方ストッパ壁面部２０が上記した関係にあることにより、バッテリ収容部１１を製作することができ、インナーケース３を製作する工程で型抜きの方法によりインナーケース３と一体成形でバッテリ収容部１１を製作することができる。
【００２４】
次に、上記した構成の作用として、配線を接続してバッテリを取付ける手順について、図７ないし図１３を参照して説明する。尚、本実施形態では、同一形状の２個のバッテリを上下に重ねてバッテリ収容部１１に収容する場合を説明する。
【００２５】
最初に、作業者は、本体カバーが取外されている枠体２をインナーケース３の開口部３ａが下側に位置するように持上げ、建物の壁から引出されている配線２４を枠体２の開口部２ａ及びインナーケース３の開口部３ａに挿通して前方に引出した状態で、枠体２を建物の壁に位置決めして取付ける。次いで、作業者は、前方に引出している配線２４の先端側を３台の端子台７〜９に接続する。ここで、配線２４の先端側を３台の端子台７〜９に接続したことで余り部分（必要以上に長い部分）が生じることになるが、本実施形態では後方ストッパ壁面部１６と後方ストッパ壁面部１７との間に形成されているスリット状の切欠部２２が形成されているので、作業者は、配線２４の先端側を３台の端子台７〜９に接続したことで生じた余り部分をスリット状の切欠部２２に挿通することで（後方側に押込むことで）、バッテリ収容部１１とインナーケース３の開口部３ａとの間の空間である配線収容部１２に収容することができ、配線収容部１２の前方側に設けられているバッテリ収容部１１にバッテリを収容する分のスペースを確保することができる。この場合、上記したように後方ストッパ壁面部１６における切欠部２２側の端部には前方側から後方側に向かう方向にカーブする曲面部１６ａが形成されているので、作業者は、配線の余り部分をスリット状の切欠部２２に滑らかに挿通することができる。
【００２６】
作業者は、このようにして配線２４を接続した後に、第１のバッテリ２５をバッテリ挿通部１３に挿通し、第１のバッテリ２５を底壁面部２１に置くことでバッテリ収容部１１に収容する。この場合、上記したように、前方ストッパ壁面部１４の上端部にはバッテリがバッテリ挿通部１３から挿通される挿通方向に平行な面取り部１４ａが形成されており、前方ストッパ壁面部１５の上端部にはバッテリがバッテリ挿通部１３から挿通される挿通方向に平行な面取り部１５ａが形成されており、天井壁面部２３の前端部にもバッテリがバッテリ挿通部１３に挿通される挿通方向に平行な面取り部２３ａが形成されているので、作業者は、第１のバッテリ２５をバッテリ挿通部１３に滑らかに挿通することができる。
【００２７】
そして、作業者は、このようにして第１のバッテリ２５をバッテリ収容部１１に収容させた後に、第２のバッテリ２６を第１のバッテリ２５と同様にしてバッテリ挿通部１３に挿通し、第２のバッテリ２６を第１のバッテリ２５上に置くことでバッテリ収容部１１に収容する。この場合も、作業者は、第２のバッテリ２６をバッテリ挿通部１３に滑らかに挿通することができる。
【００２８】
このようにして第１のバッテリ２５及び第２のバッテリ２６が底壁面部２１に置かれた状態では、第１のバッテリ２５の前側面部は前方ストッパ壁面部１４の下半部及び前方ストッパ壁面部１５の下半部と僅かな隙間で対向し、第１のバッテリ２５の後側面部は後方ストッパ壁面部１６と僅かな隙間で対向し、第１のバッテリ２５の右側面部は右側方ストッパ壁面部１８の下半部と僅かな隙間で対向し、第１のバッテリ２５の左側面部は左側方ストッパ壁面部２０の下半部と僅かな隙間で対向する。また、第２のバッテリ２６の前側面部は前方ストッパ壁面部１４の上半部及び前方ストッパ壁面部１５の上半部と僅かな隙間で対向し、第２のバッテリ２６の後側面部は後方ストッパ壁面部１７と僅かな隙間で対向し、第２のバッテリ２５の右側面部は右側方ストッパ壁面部１８の上半部及び右側方ストッパ壁面部１９と僅かな隙間で対向し、第２のバッテリ２５の左側面部は左側方ストッパ壁面部２０の上半部と僅かな隙間で対向する。したがって、このようにして第１のバッテリ２５及び第２のバッテリ２６を取付けた後に、インナーケース３を枠体２に対して回動させた場合であっても、第１のバッテリ２５及び第２のバッテリ２６が落下することはない。
【００２９】
以上に説明したように本実施形態によれば、電気錠コントローラ１におけるバッテリ収容部１１を、前方ストッパ壁面部１４、１５、後方ストッパ壁面部１６、１７、右側方ストッパ壁面部１８、１９、左側方ストッパ壁面部２０及び底壁面部２１から構成し、後方ストッパ壁面部１６と後方ストッパ壁面部１７との間に配線２４が前方側から配線収容部１２に向かう方向に挿通可能なスリット状の切欠部２２を形成し、底壁面部２１の全周に立上がり部を形成したので、配線２４を基板６の端子台７〜９に接続したことで生じた配線２４の余り部分（必要以上に長い部分）をスリット状の切欠部２２に挿通して配線収容部１２に収容することで配線収容部１２の前方側に設けられているバッテリ収容部１１に第１のバッテリ２５及び第２のバッテリ２６を収容する分のスペースを確保することができ、従来の作業では必要であった専用のバッテリ固定用スペーサ及び専用のバンドを不要とした上で第１のバッテリ２５及び第２のバッテリ２６を取付けることができる。これにより、部品点数が増大することなく、第１のバッテリ２５及び第２のバッテリ２６を交換する際や配線２４を変更する際の作業性を高めることができる。
【００３０】
そして、第１のバッテリ２５及び第２のバッテリ２６を取付けた後でインナーケース３を枠体２に対して回動した場合であっても、第１のバッテリ２５及び第２のバッテリ２６が落下することを防止することができ、第１のバッテリ２５及び第２のバッテリ２６をバッテリ収容部１１に止めておくことができる。また、第１のバッテリ２５及び第２のバッテリ２６からバッテリ液が漏れる所謂液漏れが発生した場合であっても、バッテリ液が垂れることなくバッテリ液を底壁面部２１に止めておくことができ、バッテリ液が外部に流出してしまうことを未然に回避することができる。
【００３１】
また、前方ストッパ壁面部１４、１５と後方ストッパ壁面部１６、１７とを正面方向から投影した投影面上に両者が描写可能な位置関係に形成し、右側方ストッパ壁面部１８、１９及び左側方ストッパ壁面部２０と前方ストッパ壁面部１４、１５及び後方ストッパ壁面部１６、１７とを側面方向から投影した投影面上に両者が描写可能な位置関係に形成したので、バッテリ収容部１１を構成する各ストッパ壁面部１４〜２０を別部材ではなくインナーケース３を製作する工程で型抜きの方法によりインナーケース３と一体成形で製作することができ、製作コストを削減することができ且つ製作期間を短縮することができる。しかも、従来からのバッテリを配線２４に重なるように当該配線２４の前方側に取付ける構造を維持することにより、機器全体の小型化及び省スペース化をも実現することができる。
【００３２】
また、前方ストッパ壁面部１４の上端部に面取り部１４ａを形成し、前方ストッパ壁面部１５の上端部に面取り部１５ａを形成し、天井壁面部２３の前端部にも面取り部２３ａを形成したので、第１のバッテリ２５及び第２のバッテリ２６をバッテリ挿通部１３に滑らかに挿通することができ、第１のバッテリ２５及び第２のバッテリ２６を取付けたり取外したりする際の作業性を高めることができる。
【００３３】
さらに、後方ストッパ壁面部１６にあって切欠部２２を構成する端部に前方側から配線収容部１２に向かう方向にカーブする曲面部１６ａを形成したので、配線２４の余り部分をスリット状の切欠部２２に滑らかに挿通することができ、配線２４を収容する際の作業性を高めることができる。
【００３４】
本発明は、上記した実施形態にのみ限定されるものではなく、以下のように変形または拡張することができる。
同一形状の２個のバッテリを取付ける構成に限らず、１個のバッテリを取付ける構成であっても良いし、３個以上のバッテリを取付ける構成であっても良い。
【図面の簡単な説明】
【００３５】
【図１】本発明の一実施形態を示すもので、バッテリを取付ける前の状態を示す斜視図
【図２】バッテリ収容部を一方向から見た斜視図
【図３】バッテリ収容部を他方向から見た斜視図
【図４】インナーケースの側面図（ａ）及び正面図（ｂ）
【図５】図４のＡ−Ａ線に沿った縦断側面図（ａ）及びＢ−Ｂ線に沿った縦断側面図（ｂ）
【図６】インナーケースの背面図
【図７】バッテリをバッテリ収容部に収容する手順を示す図（その１）
【図８】バッテリをバッテリ収容部に収容する手順を示す図（その２）
【図９】バッテリをバッテリ収容部に収容する手順を示す図（その３）
【図１０】バッテリをバッテリ収容部に収容する手順を示す図（その４）
【図１１】バッテリをバッテリ収容部に収容する手順を示す図（その５）
【図１２】バッテリをバッテリ収容部に収容する手順を示す図（その６）
【図１３】バッテリを取付けた後の状態を示す斜視図
【符号の説明】
【００３６】
図面中、１は電気錠コントローラ、２は枠体、２ａは開口部、３はインナーケース、３ａは開口部、５は基板収容部、６は基板、７〜９は端子台、１１はバッテリ収容部、１２は配線収容部、１３はバッテリ挿通部、１４、１５は前方ストッパ壁面部、１４ａ、１５ａは面取り部、１６、１７は後方ストッパ壁面部、１６ａは曲面部、１８、１９は右側方ストッパ壁面部、２０は左側方ストッパ壁面部、２１は底壁面部、２１は立上がり部、２４は配線、２５、２６はバッテリである。
【図１】
2010121347.tif 000003
【図２】
2010121347.tif 000004
【図３】
2010121347.tif 000005
【図４】
2010121347.tif 000006
【図５】
2010121347.tif 000007
【図６】
2010121347.tif 000008
【図７】
2010121347.tif 000009
【図８】
2010121347.tif 000010
【図９】
2010121347.tif 000011
【図１０】
2010121347.tif 000012
【図１１】
2010121347.tif 000013
【図１２】
2010121347.tif 000014
【図１３】
2010121347.tif 000015